(57)【特許請求の範囲】
【請求項１】
開口を有するテント本体と、
前記開口を閉塞可能なカバーと、
前記テント本体を展開状態で支持する第１支持フレームと、
前記テント本体の開口周りに配置された下向きＵ字状の第２支持フレームと、
前記カバーを拡張状態で維持する拡張フレームとを備えており、
前記カバーは、布地からなるカバー本体と、
一対のタブとを有しており、
前記タブは、前記第２支持フレームに係合されたフックと、
前記フックが設けられた先端、及び前記カバー本体の上端部の幅方向の両端に連接された基端を有する布地であるタブ本体とを有しており、
前記拡張フレームは、前記タブ本体に固着された第１端部を有し、当該タブを介して前記第２支持フレームに回動自在に支持され、前記拡張フレームが回動することにより、前記カバーが前記開口を開閉するテント。
【請求項２】
開口を有するテント本体と、
前記開口を閉塞可能なカバーと、
前記テント本体を展開状態で支持する第１支持フレームと、
前記テント本体の開口周りに配置された下向きＵ字状の第２支持フレームと、
前記カバーを拡張状態で維持する拡張フレームとを備えており、
前記カバーは、布地からなるカバー本体と、
布地である一対のタブとを有しており、
前記タブは、前記第２支持フレームに巻き付けられた先端部と、
前記カバー本体の上端部の幅方向の両端に連接された基端とを有しており、
前記拡張フレームは、前記タブに固着された第１端部を有し、当該タブを介して前記第２支持フレームに回動自在に支持され、前記拡張フレームが回動することにより、前記カバーが前記開口を開閉するテント。
【請求項３】
請求項２記載のテントにおいて、
前記カバー本体は、一対の前記タブが設けられた第１端部と、
前記第１端部の反対側の第２端部とを有しており、
前記拡張フレームは、Ｘ字状に交差した第１、第２拡張ポールを更に有しており、
前記第１、第２拡張ポールは、前記拡張フレームの前記第１端部と、
当該第１端部の反対側の端部であり且つ前記カバー本体の第２端部に固着された第２端部とを有しているテント。
【請求項４】
請求項３記載のテントにおいて、
前記カバー本体の上端部が前記テント本体の開口の上縁に連結されているテント。
【請求項５】
請求項１〜４の何れかに記載のテントにおいて、
前記第１、第２支持フレームを部分的に連結させる連結部を更に備えているテント。
【発明の詳細な説明】
【技術分野】
【０００１】
本発明は主として屋外で使用可能なテントに関する。
【背景技術】
【０００２】
従来のテントとしては、開口を有するテント本体と、テント本体の開口の上縁に連結され、前記開口を開閉可能なカバーと、テント本体を支持するフレームとを備えているものがある（特許文献１参照）。
【先行技術文献】
【特許文献】
【０００３】
【特許文献１】特開平０５-１７１８３８号公報
【発明の概要】
【発明が解決しようとする課題】
【０００４】
カバーはフレキシブルな布地であるので、当該カバーを捲くり上げることにより、開口を開放することができる。このカバーを捲くり上げる作業が面倒であるため、カバーの開閉を困難にしていた。
【０００５】
本発明は、上記事情に鑑みて創案されたものであって、その目的とするところは、カバーで開口を容易に開閉することが可能なテントを提供することにある。
【課題を解決するための手段】
【０００６】
上記課題を解決するために、本発明のテントは、開口を有するテント本体と、前記開口を閉塞可能なカバーと、前記テント本体を展開状態で支持する第１支持フレームと、前記テント本体の開口周りに配置された下向きＵ字状の第２支持フレームと、前記カバーを拡張状態で維持する拡張フレームとを備えている。前記カバーは、布地からなるカバー本体と、一対のタブとを有している。前記タブは、前記第２支持フレームに係合されたフックと、前記フックが設けられた先端、及び前記カバー本体の上端部の幅方向の両端に連接された基端を有する布地であるタブ本体とを有している。前記拡張フレームは、前記タブ本体に固着された第１端部を有し、当該タブを介して前記第２フレームに回動自在に支持され、前記拡張フレームが回動することにより、前記カバーが前記開口を開閉するようになっている。
前記タブは、上記構成に代えて、前記第２支持フレームに巻き付けられた先端部と、前記カバー本体の上端部の幅方向の両端に連接された基端とを有する布地である構成とすることが可能である。
【０００７】
このような発明の態様による場合、拡張フレームがカバーを拡張状態で支持している。この拡張フレームが回動することにより、カバーが拡張状態のまま、テント本体の開口を開閉するので、カバーの開閉が容易になる。また、拡張フレームがカバーを拡張状態で支持しているため、カバーの重量が重くなるが、拡張フレームが第２支持フレームに軸支されているため、カバーの開閉を安定させることができる。
【０００９】
また、カバーのタブが第２支持フレームに回動自在に支持され且つ拡張フレームがタブを介して第２支持フレームに回動自在に支持さている。すなわち、カバー及び拡張フレームの双方が第２支持フレームに回動自在に支持されているので、カバーの開閉が更に安定し且つ容易になる。
【００１０】
前記カバー本体は、一対の前記タブが設けられた第１端部と、前記第１端部の反対側の第２端部とを有する構成とすることが可能である。前記拡張フレームは、Ｘ字状に交差した第１、第２拡張ポールを更に有する構成とすることが可能である。前記第１、第２拡張ポールは、前記拡張フレームの前記第１端部と、当該第１端部の反対側の端部であり且つ前記カバー本体の第２端部に固着された第２端部とを有している。
【００１１】
このような発明の態様による場合、第１、第２拡張ポールの第１端部がカバー本体の第１端部のタブに各々固着され、第１、第２拡張ポールの第２端部がカバー本体に第２端部に固着されているので、カバーの拡張状態を安定させることができる。よって、カバーの開閉が更に安定し且つ容易になる。
【００１２】
前記カバー本体の上端部が前記テント本体の上縁に連結されていることが好ましい。このような発明の態様による場合、前記カバーの第１端部がテント本体の開口の上縁に連結されているので、カバーの開閉が更に安定し且つ容易になる。
【００１３】
前記テントは、前記第１、第２支持フレームを部分的に連結させる連結部を更に備えた構成とすることが可能である。このような発明の態様による場合、連結部が第１、第２支持フレームを連結することにより、第２支持フレームが第１支持フレームに支持される。よって、第２支持フレームが安定するので、当該第２支持フレームに軸支される拡張フレーム及びカバーの回動も安定する。
【図面の簡単な説明】
【００１４】
【図１Ａ】本発明の実施例１に係るテントの正面図である。
【図１Ｂ】前記テントの背面図である。
【図１Ｃ】前記テントの平面図である。
【図１Ｄ】前記テントの底面図である。
【図１Ｅ】前記テントの右則面図である。
【図１Ｆ】前記テントの左側面図である。
【図１Ｇ】前記テントの正面、平面及び右側面図を表した斜視図である。
【図２Ａ】前記テントの図１Ａ中のＡ-Ｂの交差領域の拡大図である。
【図２Ｂ】前記テントの図１Ａ中のＡ-Ｃの交差領域の拡大図である。
【図３】前記テントのカバー開状態を示す左側面図である。
【発明を実施するための形態】
【００１５】
以下、本発明の実施例１に係るテントについて図１Ａ〜図３を参照しつつ説明する。
【実施例１】
【００１６】
図１Ａ〜図１Ｇに示すテントは、テント本体１００と、カバー２００と、第１支持フレーム３００ａ、３００ｂと、第２支持フレーム４００と、拡張フレーム５００と、４つの連結部６００とを備えている。以下、前記テントの各構成要素について詳しく説明する。なお、テント本体１００の展開状態とは、図１Ａ〜図Ｇに示すように、メインシート１１０がトンネル状となり、フロントシート１２０及びバックシート１３０が立ち上がった状態である。
【００１７】
テント本体１００は、図１Ａ〜図１Ｇに示すように、メインシート１１０と、フロントシート１２０と、バックシート１３０と、メインスリーブ１４１〜１４５と、複数のサブスリーブ１５０とを有している。メインシート１１０は、ナイロンタフタやポリエステルタフタ等のトンネル型の防水性を有する布地である。メインシート１１０の両下端の前側部、後側部には、図１Ｄに示すように、一対の係止部１１１、１１２が設けられている。メインシート１１０の両下端の中央部にも、一対の係止部１１３、１１４がメインシート１１０の長さ方向に間隔を空けて設けられている。更に、メインシート１１０の両下端の係止部１１１と係止部１１４の間に、一対の係止部１１５が設けられている。係止部１１１〜１１５は、メインシート１１０に連結されたベルトと、このベルトの先端に設けられたリングとを有している。
【００１８】
メインスリーブ１４１とメインスリーブ１４２とは、図１Ｃに示すように、メインシート１１０の頂部の前側にＸ字状に配設されている。メインスリーブ１４３とメインスリーブ１４４とは、メインシート１１０の頂部の後側にＸ字状に配設されている。また、スリーブ１４５は、フロントシート１２０の頂部に設けられている。メインスリーブ１４１〜１４５は、ナイロンタフタやポリエステルタフタ等の筒状の防水性を有する布地である。メインスリーブ１４１の長さ方向の一端は一方側の係止部１１１に、他端は他方側の係止部１１３に向いている。メインスリーブ１４２の長さ方向の一端は他方側の係止部１１１に、他端は一方側の係止部１１３に向いている。メインスリーブ１４３の長さ方向の一端は一方側の係止部１１４に、他端は他方側の係止部１１２に向いている。メインスリーブ１４４の長さ方向の一端は他方側の係止部１１４に、他端は一方側の係止部１１２に向いている。
【００１９】
サブスリーブ１５０は、図１Ｃに示すように、メインシート１１０上のメインスリーブ１４１、１４２と係止部１１１、１１３との間、メインスリーブ１４３、１４４と係止部１１２、１１４との間及びスリーブ１４５と係止部１１５との間に間隔をあけて設けられている。サブスリーブ１５０は、長さ寸法がメインスリーブ１４１〜１４５よりも小さいナイロンタフタやポリエステルタフタ等の筒状の布地である。
【００２０】
フロントシート１２０及びバックシート１３０は、図１Ｅ及び図１Ｆに示すように、ナイロンタフタやポリエステルタフタ等の山型の防水性を有する布地である。フロントシート１２０の稜線部が、メインシート１１０の前側端に止着されている。バックシート１３０の稜線部が、メインシート１１０の後側端に止着されている。よって、フロントシート１２０及びバックシート１３０は、展開状態で、メインシート１１０に引っ張られ、立ち上がる。フロントシート１２０には、図３に示すように台形状の開口１２１が設けられている。
【００２１】
第１支持フレーム３００ａ、３００ｂは、図１Ｇに示すように、テント本体１００を展開状態で支持するためのフレームである。第１支持フレーム３００ａは、長さ方向に着脱可能に連結された複数のポールで各々構成された第１、第２支持ポール３１０ａ、３２０ａを有している。第１支持ポール３１０ａは、図１Ａ及び図１Ｂに示すように、長さ方向の第１端部３１１ａと、その反対側の第２端部３１２ａを有し、第２支持ポール３２０ａは、長さ方向の第１端部３２１ａと、その反対側の第２端部３２２ａとを有している。第１支持ポール３１０ａは、テント本体１００のメインスリーブ１４１及び当該メインスリーブ１４１と係止部１１１、１１３との間のサブスリーブ１５０に挿入されると共に、第１、第２端部３１１ａ、３１２ａが一方側の係止部１１１、他方側の係止部１１３のリングに係止される。第２支持ポール３２０ａは、テント本体１００のメインスリーブ１４２及び当該メインスリーブ１４２と係止部１１１、係止部１１３との間のサブスリーブ１５０に挿入されると共に、第１、第２端部３２１ａ、３２２ａが他方側の係止部１１１、一方側の係止部１１３のリングに係止される。この状態で、第１、第２支持ポール３１０ａ、３２０ａがＸ字状に交差し、メインシート１１０の前側部及びフロントシート１２０を展開状態で支持する。
【００２２】
第１支持フレーム３００ｂは、第１、第２支持ポール３１０ａ、３２０ａと同じ構成である第１、第２支持ポール３１０ｂ、３２０ｂを有している。第１支持ポール３１０ｂは、テント本体１００のメインスリーブ１４３及び当該メインスリーブ１４３と係止部１１２、１１４との間のサブスリーブ１５０に挿入されると共に、第１、第２端部３１１ｂ、３１２ｂが一方側の係止部１１４、他方側の係止部１１２のリングに係止される。第１支持ポール３２０ｂは、テント本体１００のメインスリーブ１４４及び当該メインスリーブ１４４と係止部１１２、１１４との間のサブスリーブ１５０に挿入されると共に、第１、第２端部３２１ｂ、３２２ｂが他方側の係止部１１４、一方側の１１２のリングに係止される。この状態で、第１、第２支持ポール３１０ｂ、３２０ｂが互いにＸ字状に交差し、メインシート１１０の後側部及びバックシート１３０を展開状態で支持する。また、第１、第２支持ポール３１０ｂ、３２０ｂは第２、第１支持ポール３２０ａ、３１０ａに交差している。この交差部が連結部６００により連結されている。連結部６００は連結ベルト又は紐であって、前記交差部に巻き付けられている。
【００２３】
第２支持フレーム４００は、図１Ｃ及び図１Ｆに示すように、長さ方向に着脱可能に連結された複数のポールで構成されている。第２支持フレーム４００は、長さ方向の第１端部４１０と、その反対側の第２端部４２０とを有している。第２支持フレーム４００は、テント本体１００のメインスリーブ１４５及び当該メインスリーブ１４５と係止部１１５との間のサブスリーブ１５０に挿入されると共に、第１、第２端部４１０、４２０が係止部１１５のリングに係止される。これにより、第２支持フレーム４００は、略下向きＵ字状に湾曲し、フロントシート１２０の周り（すなわち、フロントシート１２０の開口１２１周り）に配置される。この状態で、第２支持フレーム４００はフロントシート１２０及びメインシート１１０の前側端を支持する。また、第２支持フレーム４００は、第１支持フレーム３００ａの第１、第２支持ポール３１０ａ、３２０ａに交差している。この交差部が連結部６００により連結されている。この連結部６００は連結ベルト又は紐であって、前記交差部に巻き付けられている。この状態で、第２支持フレーム４００は第１支持フレーム３００ａに支持される。
【００２４】
カバー２００は、ナイロンタフタやポリエステルタフタ等の防水性を有する布地である。カバー２００は、カバー本体２１０と、一対のタブ２２０と、スリーブ２３１、２３２と、一対のポケット２４０を有している。カバー本体２１０は、フロントシート１２０の開口１２１よりも若干大きい台形状である。カバー本体２１０は、上端部（第１端部）２１１と、下端部２１２（第２端部）と、両端部とを有している。カバー本体２１０の上端部２１１は、フロントシート１２０の開口１２１の上縁部に止着され、開口１２１を開閉可能に閉塞している。カバー本体２１０の両端部とフロントシート１２０の開口１２１の両側縁部との間には図示しない線ファスナが設けられている。この線ファスナを閉開することにより、カバー本体２１０の両端部とフロントシート１２０の開口１２１の両側縁部との連結及び連結の解除がなされる。
【００２５】
タブ２２０は、図２Ａ及び図２Ｂに示すように、タブ本体２２１と、フック２２２とを有している。タブ本体２２１はカバー本体２１０の上端部２１１の幅方向の両端に設けられた布地である。タブ本体２２１には貫通孔２２１ａが開設されている。フック２２２は、タブ本体２２１の先端に連接されている。このフック２２２が第２支持フレーム４００に係合されている。これにより、タブ２２０がフック２２２を支点に回動自在となっている。ポケット２４０は、カバー本体２１０の下端部２１２の幅方向の両端に設けられている。
【００２６】
スリーブ２３１、２３２は、カバー本体２１０の外面の中心部に当該カバー本体２１０の対角線に沿ってＸ字状に設けられている。スリーブ２３１、２３２はナイロンタフタやポリエステルタフタ等の筒状の防水性を有する布地である。スリーブ２３１の上端は、一方側のタブ２２０に、下端は他方側のポケット２４０に向いている。スリーブ２３２の上端は、他方側のタブ２２０に、下端は一方側のポケット２４０に向いている。
【００２７】
拡張フレーム５００は、図１Ｆ及び図１Ｇに示すように、カバー２００を拡張状態で支持するＸ字状のフレームである。この拡張フレーム５００は、長さ方向に着脱可能に連結された複数のポールで各々構成された第１、第２拡張ポール５１０、５２０を有している。第１、第２拡張ポール５１０、５２０の長さ寸法は、カバー本体２１０の対角線の長さよりも若干大きい。第１拡張ポール５１０は、長さ方向の第１端部５１１と、その反対側の第２端部５１２を有し、第２拡張ポール５２０は、長さ方向の第１端部５２１と、その反対側の第２端部５２２を有している。第１、第２拡張ポール５１０、５２０の第１端部５１１、５２１には、タブ２２０の貫通穴２２１ａよりも外径が大きいリング５１１ａ、５２１ａが外嵌している。
【００２８】
第１拡張ポール５１０は、カバー２００のスリーブ２３２に挿入されると共に、第１端部５１１がカバー２００の他方側のタブ２２０の貫通孔２２１ａに挿入され（図２Ｂ参照）、第２端部５１２がカバー２００の一方側のポケット２４０に挿入される。第２拡張ポール５２０は、カバー２００のスリーブ２３１に挿入されると共に、第１端部５２１がカバー２００の一方側のタブ２２０の貫通孔２２１ａに挿入され（図２Ａ参照）、第２端部５１２がカバー２００の他方側のポケット２４０に挿入される。第１端部５１１、５２１が貫通穴２２１ａに挿入された状態で、リング５１１ａ、５２１ａがタブ２２０の貫通穴２２１ａの周縁部に当接する。これにより、第１端部５１１、５２１がタブ２２０に固着される。このように第１、第２拡張ポール５１０、５２０はカバー２００に取り付けられた状態でＸ字状に交差し、カバー２００を拡張状態で支持する。なお、上述の通り第１、第２拡張ポール５１０、５２０の長さ寸法がカバー本体２１０の対角線の長さよりも若干大きいので、拡張状態で第１、第２拡張ポール５１０、５２０が弓なりに湾曲し、カバー本体２１０が外側に凸のドーム状となる。
【００２９】
拡張フレーム５００は、タブ２２０のフック２２２を支点として回動自在となっている。拡張フレーム５００の回動に伴って、カバー本体２１０が回動し、フロントシート１２０の開口１２１を開閉可能となっている。
【００３０】
以下、上述したテントの組み立て工程について詳しく説明する。まず、ポールが取り外された状態の第１支持フレーム３００ａの第１、第２支持ポール３１０ａ、３２０ａ及び第１支持フレーム３００ｂの第１、第２支持ポール３１０ｂ、３２０ｂを用意する。これと共に、テント本体１００を用意する。その後、ポールを連結させ、第１、第２支持ポール３１０ａ、３２０ａ及び第１、第２支持ポール３１０ｂ、３２０ｂを一本の棒状とする。その後、第１支持ポール３１０ａをテント本体１００のテント本体１００のメインスリーブ１４１及びサブスリーブ１５０に挿入し、第１支持ポール３１０ａの第１、第２端部３１１ａ、３１２ａを一方側の係止部１１１、他方側の係止部１１３のリングに挿入し、係止させる。また、第２支持ポール３２０ａをテント本体１００のメインスリーブ１４２及びサブスリーブ１５０に挿入し、第２支持ポール３２０ａの第１、第２端部３２１ａ、３２２ａを他方側の係止部１１１、一方側の係止部１１３のリングに挿入し、係止させる。これにより、第１、第２支持ポール３１０ａ、３２０ａがＸ字状に交差する。
【００３１】
同様に、第１支持ポール３１０ｂをテント本体１００のメインスリーブ１４３及びサブスリーブ１５０に挿入し、当該第１支持ポール３１０ｂの第１、第２端部３１１ｂ、３１２ｂを一方側の係止部１１４、他方側の係止部１１２のリングに挿入し、係止させる。また、第１支持ポール３２０ｂをテント本体１００のメインスリーブ１４４及びサブスリーブ１５０に挿入し、第１支持ポール３２０ｂの第１、第２端部３２１ｂ、３２２ｂを他方側の係止部１１４、一方側の係止部１１２のリングに挿入し、係止させる。これにより、第１、第２支持ポール３１０ｂ、３２０ｂが互いにＸ字状に交差すると共に、第１、第２支持ポール３１０ｂ、３２０ｂが第２、第１支持ポール３２０ａ、３１０ａに交差する。その後、第１、第２支持ポール３１０ｂ、３２０ｂと第２、第１支持ポール３２０ａ、３１０ａとの交差部を連結部６００で連結させる。この状態で、第１支持フレーム３００ａの第１、第２支持ポール３１０ａ、３２０ａ及び第１支持フレーム３００ｂの第１、第２支持ポール３１０ｂ、３２０ｂがテント本体１００を展開状態で支持する。
【００３２】
その後、ポールが取り外された状態の第２支持フレーム４００を用意する。その後、ポールを連結させ、第２支持フレーム４００を一本の棒状とする。その後、第２支持フレーム４００をテント本体１００のメインスリーブ１４５及びサブスリーブ１５０に挿入し、第２支持フレーム４００の第１、第２端部４１０、４２０を係止部１１５のリングに挿入し、係止させる。これにより、第２支持フレーム４００は、下向きＵ字状に湾曲し且つ第１支持フレーム３００ａの第１、第２支持ポール３１０ａ、３２０ａに交差する。その後、第２支持フレーム４００と第１、第２支持ポール３１０ａ、３２０ａとの交差部を連結部６００で連結させる。これにより、第１支持フレーム３００ａが第２支持フレーム４００を支持し、第２支持フレーム４００がフロントシート１２０及びメインシート１１０の前側端を支持する。なお、第２支持フレーム４００を第１支持フレーム３００ａ、３００ｂよりも前にテント本体１００に取り付けることが可能である。
【００３３】
その後、カバー２００のタブ２２０のフック２２２を第２支持フレーム４００に各々係止させる。
【００３４】
その後、ポールが取り外された状態の拡張フレーム５００の第１、第２拡張ポール５１０、５２０を用意する。その後、ポールを連結させ、第１、第２拡張ポール５１０、５２０を一本の棒状とする。その後、第１拡張ポール５１０をカバー２００のスリーブ２３２に挿入し、当該第１拡張ポール５１０の第１端部５１１をカバー２００の他方側のタブ２２０の貫通孔２２１ａに挿入し、当該第１拡張ポール５１０の第２端部５１２をカバー２００の一方側のポケット２４０に挿入する。これと共に、第２拡張ポール５２０をカバー２００のスリーブ２３１に挿入し、当該第２拡張ポール５２０の第１端部５２１をカバー２００の一方側のタブ２２０の貫通孔２２１ａに挿入し、当該第２拡張ポール５２０の第２端部５１２をカバー２００の他方側のポケット２４０に挿入する。これにより、第１、第２拡張ポール５１０、５２０がＸ字状に交差し且つ弓なりに湾曲し、カバー２００を拡張状態で支持する。このとき、カバー２００のカバー本体２１０が外側に凸のドーム状となる。
【００３５】
以下、上述の通り組み立てられたテントのカバー２００の開閉について詳しく説明すると共に、カバー２００の開閉時におけるテントの各構成要素の動作について詳しく説明する。まず、上記線ファスナを開け、カバー本体２１０の両端部とフロントシート１２０の開口１２１の両側縁部との連結を解除する。
【００３６】
その後、タブ２２０のフック２２２を支点にカバー２００及び拡張フレーム５００を上側に回動させる。すると、図３に示すように、テント本体１００の開口１２１が開放される。これにより、開口１２１からテント本体１００内に出入りが可能となる。また、カバー２００の開状態を維持するため、カバー２００のカバー本体２１０の下端部２１２をポール、他のテント又は車等に連結させることが可能である。
【００３７】
その後、タブ２２０のフック２２２を支点にカバー２００及び拡張フレーム５００を下側に回動させる。すると、テント本体１００の開口１２１がカバー２００のカバー本体２１０により閉塞される。その後、上記線ファスナを閉じることで、カバー本体２１０とテント本体１００とが連結される。
【００３８】
以上のようなテントによる場合、拡張フレーム５００がカバー２００を拡張状態で支持している。この拡張フレーム５００がタブ２２０を支点に回動することにより、カバー２００のカバー本体２１０が拡張状態のまま、テント本体１００の開口１２１を開閉するので、カバー２００の開閉が容易になる。また、拡張フレーム５００がカバー２００を拡張状態で支持しているため、カバー２００の重量が重くなるが、拡張フレーム５００の第１、第２拡張ポール５１０、５２０の第１端部５１１、５２１がカバー２００のタブ２２０を介して第２支持フレーム４００に軸支されている。すなわち、カバー２００及び拡張フレーム５００の双方が第２支持フレーム４００に回動自在に軸支されているので、カバー２００の開閉及びカバー２００の拡張状態を安定させることができる。
【００３９】
しかも、第２支持フレーム４００と第１支持フレーム３００ａの第１、第２支持ポール３１０ａ、３２０ａと交差部が連結部６００で連結されている。よって、第２支持フレーム４００が第１支持フレーム３００ａにより支持されるので、カバー２００の開閉を安定させる上でメリットがある。
【００４０】
なお、上述したテントは、上記実施例１に限定されるものではなく、特許請求の範囲の記載範囲において任意に設計変更することが可能である。以下、詳しく述べる。
【００４１】
上記実施例１では、テント本体１００は、メインシート１１０と、フロントシート１２０と、バックシート１３０と、メインスリーブ１４１〜１４５と、複数のサブスリーブ１５０とを有するとした。しかし、テント本体は、開口を有し且つ第１支持フレームにより展開状態で支持され得る限り任意に設計変更することが可能である。例えば、テント本体は略ピラミッド状やビニールハウスのような建屋状とすることが可能である。
【００４２】
上記実施例１では、本発明に係るテントは、第１支持フレーム３００ａ、３００ｂを備えているとした。しかし、本発明に係るテントは、テント本体を展開状態で支持し得る第１支持フレームを備えている限り任意に設計変更することが可能である。例えば、テント本体が上述の略ピラミッド状である場合、上記実施例１と同様の第１支持フレームの第１、第２支持ポールをテント本体のスリーブに挿入してテント本体の頂部で交差するように配置することにより、当該テント本体を第１支持フレームで支持させることが可能である。なお、第１支持フレームは第１、第２支持ポールを有するものに限定されず、テント本体を展開状態で支持し得るものである限り任意に設計変更することが可能である。
【００４３】
上記実施例１では、第２支持フレーム４００は、長さ方向に着脱可能に連結された複数のポールで構成された下向きＵ字状であって、フロントシート１２０の周りに配置されているとした。しかし、第２支持フレームは、テント本体の開口周りに配置された下向きＵ字状である限り任意に設計変更することが可能である。例えば、第１支持フレームを下向きＵ字状の棒又は板とし、テント本体の開口周りに配置することが可能である。また、上記実施例１では、第２支持フレーム４００は、フロントシート１２０及びメインシート１１０の前側端を支持するとした。しかし、第２支持フレームは、テント本体を支持しない態様とすることが可能である。
【００４４】
上記実施例１では、カバー２００は、カバー本体２１０と、一対のタブ２２０と、スリーブ２３１、２３２と、一対のポケット２４０を有しているとした。しかし、カバーは、テント本体の開口を閉塞可能である限り任意に設計変更することが可能である。カバーの形状は、開口の形状に応じて適宜変更することが可能である。また、カバーの上端部（第１端部）はテント本体の開口の上縁部に連結されている必要はない。すなわち、カバーはテント本体と別体とすることが可能である。また、後述するように拡張フレームの第１端部が第２支持フレームに直接軸支される場合、カバーのタブは省略することが可能である。
【００４５】
上記実施例１では、タブ２２０は、カバー本体２１０の上端部２１１の幅方向の両端に設けられたタブ本体２２１と、このタブ本体２２１の先端に連接され、第２支持フレーム４００に係合されたフック２２２とを有するとした。しかし、タブ２２０は、カバー本体に設けられており且つ前記第２支持フレームに回動自在に軸支され得るものである限り任意に設計変更することが可能である。例えば、拡張フレームが後述のリング状である場合、タブは当該拡張フレームの上端部が固着され且つ第２支持フレームに軸支された構成とすることが可能である。また、タブの先端部を第２支持フレームに巻き付けて当該第２支持フレームに軸支されるように設計変更することも可能である。
【００４６】
上記実施例１では、拡張フレーム５００は、第１、第２拡張ポール５１０、５２０を有し、この第１、第２拡張ポール５１０、５２０の第１端部５１１、５２１がカバー２００のタブ２２０を介して第２支持フレーム４００に軸支されているとした。しかし、拡張フレームは、カバーを拡張状態で維持しており且つ前記第２支持フレームに回動自在に軸支されている限り任意に設計変更することが可能である。例えば、カバーが円形である場合、拡張フレームはカバーの外周部に取り付けられるリング状のフレームとすることが可能である。この場合、前記拡張フレームは、上端部が第２支持フレームに回動自在に軸支された構成とすることが可能である。
【００４７】
上記実施例１では、第１、第２拡張ポール５１０、５２０の第１端部５１１、５２１がカバー２００のタブ２２０の貫通穴２２１ａに挿入された状態で固着されているとした。しかし、第１、第２拡張ポールの第１端部は、カバーのタブに固着され、当該タブを介して第２支持フレームに回動自在に軸支されている限り任意に設計変更することが可能である。例えば、第１、第２拡張ポールの第１端部がタブに設けられたポケットに挿入される態様とすることが可能である。また、第１、第２拡張ポールの第１端部をタブにピン等の固定手段により固着したり、接着剤等により接着したりすることも可能である。
【００４８】
上記実施例１では、第１、第２拡張ポール５１０、５２０の第２端部５１２、５２２は、カバー２００のポケット２４０に挿入されているとした。しかし、第１、第２拡張ポールの第２端部は、カバーの第２端部に固着される限り任意に設計変更することが可能である。例えば、第１、第２拡張ポールの第２端部をカバーの第２端部に設けられた貫通孔に挿入し、当該第１、第２拡張ポールの第２端部に外嵌したリングを前記貫通孔の周縁部に当接させることにより、第１、第２拡張ポールの第２端部をカバーの第２端部に固着させる態様とすることが可能である。また、第１、第２拡張ポールの第２端部をカバーの第２端部にピン等の固定手段により固着したり、接着剤等により接着したりすることも可能である。なお、第１、第２拡張ポールは、カバーの内面側に配置することも可能である。
【００４９】
上記実施例１では、連結部６００は、第１、第２支持ポール３１０ｂ、３２０ｂと第２、第１支持ポール３２０ａ、３１０ａとの交差部及び第２支持フレーム４００と第１支持フレーム３００ａの第１、第２支持ポール３１０ａ、３２０ａと交差部を連結させるベルト又は紐であるとした。しかし、連結部は、第１、第２支持フレームを部分的に連結させるものである限り任意に設計変更することが可能である。例えば、連結部は、第１、第２支持フレームの交差部を連結させるピン又はナット及びボルト等の固定手段とすることが可能である。また、連結部は、第１、第２支持フレームを部分的に連結する連結棒とすることが可能である。この場合、第１、第２支持フレームは部分的に交差している必要はない。
【００５０】
なお、上記実施例１は、上記テントの各部を構成する素材、形状、寸法、数及び配置等はその一例を説明したものであって、同様の機能を実現し得る限り任意に設計変更することが可能である。
【符号の説明】
【００５１】
１００・・・・テント本体
１１０・・・メインシート
１２０・・・フロントシート
１２１・・開口
１３０・・・バックシート
１４１〜１４５・メインスリーブ
１５０・・・サブスリーブ
２００・・・・カバー
２１０・・・カバー本体
２２０・・・タブ
２３１、２３２・スリーブ
３００ａ・・・第１支持フレーム
３１０ａ・・第１支持ポール
３１１ａ・第１端部
３１２ａ・第２端部
３２０ａ・・第２支持ポール
３２１ａ・第１端部
３２２ａ・第２端部
３００ｂ・・・第１支持フレーム
３１０ｂ・・第１支持ポール
３１１ｂ・第１端部
３１２ｂ・第２端部
３２０ｂ・・第２支持ポール
３２１ｂ・第１端部
３２２ｂ・第２端部
４００・・・・第２支持フレーム
４１０・・・第１端部
４２０・・・第２端部
５００・・・・拡張フレーム
５１０・・・第１拡張ポール
５１１・・第１端部
５１２・・第２端部
５２０・・・第２拡張ポール
５２１・・第１端部
５２２・・第２端部
【図１Ａ】
0005779035.tif 000002
【図１Ｂ】
0005779035.tif 000003
【図１Ｃ】
0005779035.tif 000004
【図１Ｄ】
0005779035.tif 000005
【図１Ｅ】
0005779035.tif 000006
【図１Ｆ】
0005779035.tif 000007
【図１Ｇ】
0005779035.tif 000008
【図２Ａ】
0005779035.tif 000009
【図２Ｂ】
0005779035.tif 000010
【図３】
0005779035.tif 000011